【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
位置情報取得手段を備える携帯端末装置と、
携帯端末装置を管理するための携帯管理装置と、を有する位置情報管理システムであって、
前記携帯管理装置は、前記携帯端末装置との関連で地理的領域を特定する領域特定手段と、
前記領域特定手段で特定した前記地理的領域を地理的領域情報として登録する領域情報登録手段と、
前記領域情報登録手段に登録されている前記地理的領域情報を関連する前記携帯端末装置に提供する領域情報提供手段と、を有し、
前記携帯端末装置は、前記領域情報提供手段から取得した前記地理的領域情報と、前記位置情報取得手段で取得した位置情報とに基づいて、当該位置情報で特定される位置と直近の位置情報で特定された位置との間に前記地理的領域情報で特定された領域の境界部が存在するか否かの境界部存在情報を生成する境界部情報生成手段と、
前記境界部情報生成手段で生成された前記境界部存在情報を前記携帯管理装置に送信する境界部情報送信手段と、を有し、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理システム。
【請求項２】
前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成することを特徴とする請求項１に記載の位置情報管理システム。
【請求項３】
携帯端末装置との関連で地理的領域を特定する領域特定手段と、
前記領域特定手段で特定した前記地理的領域を地理的領域情報として登録する領域情報登録手段と、
前記領域情報登録手段に登録されている前記地理的領域情報を関連する前記携帯端末装置に提供する領域情報提供手段と、
前記携帯端末装置の境界部情報生成手段が生成する境界部存在情報を受信する境界部情報受信手段と、を有する位置情報管理装置であって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であり、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置。
【請求項４】
前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成することを特徴とする請求項３に記載の位置情報管理装置。
【請求項５】
位置情報取得手段と、
携帯管理装置の領域特定手段で携帯端末装置との関連で特定した地理的領域と、前記位置情報取得手段で取得した位置情報と、に基づいて、当該位置情報で特定される位置と直近の位置情報で特定された位置との間に前記地理的領域情報で特定された領域の境界部が存在するか否かの境界部存在情報を生成する境界部情報生成手段と、
前記境界部情報生成手段で生成された前記境界部存在情報を前記携帯管理装置に送信する境界部情報送信手段と、を有し、
前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置。
【請求項６】
前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成することを特徴とする請求項５に記載の携帯端末装置。
【請求項７】
携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を有し、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理方法。
【請求項８】
携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を有する位置情報管理装置の制御方法であって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であり、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御方法。
【請求項９】
携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を有し、
前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御方法。
【請求項１０】
コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を実行させるための位置情報管理プログラムであって、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理プログラム。
【請求項１１】
コンピュータに、携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を実行させるための位置情報管理装置の制御プログラムであって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムであって、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御プログラム。
【請求項１２】
コンピュータに、携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を実行させるための携帯端末装置の制御プログラムであって、
前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御プログラム。
【請求項１３】
コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を実行させるための位置情報管理プログラムを記録したコンピュータ読み取り可能な記録媒体であって、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理プログラムを記録したコンピュータ読み取り可能な記録媒体。
【請求項１４】
コンピュータに、携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を実行させるための位置情報管理装置の制御プログラムであって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムを記録したコンピュータ読み取り可能な記録媒体であって、
前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御プログラムを記録したコンピュータ読み取り可能な記録媒体。
【請求項１５】
コンピュータに、携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を実行させるための携帯端末装置の制御プログラムを記録したコンピュータ読み取り可能な記録媒体であって、
前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御プログラムを記録したコンピュータ読み取り可能な記録媒体。
【手続補正２】
【補正対象書類名】明細書
【補正対象項目名】０００５
【補正方法】変更
【補正の内容】
【０００５】
【課題を解決するための手段】
前記目的は、請求項１の発明によれば、位置情報取得手段を備える携帯端末装置と、携帯端末装置を管理するための携帯管理装置と、を有する位置情報管理システムであって、前記携帯管理装置は、前記携帯端末装置との関連で地理的領域を特定する領域特定手段と、前記領域特定手段で特定した前記地理的領域を地理的領域情報として登録する領域情報登録手段と、前記領域情報登録手段に登録されている前記地理的領域情報を関連する前記携帯端末装置に提供する領域情報提供手段と、を有し、前記携帯端末装置は、前記領域情報提供手段から取得した前記地理的領域情報と、前記位置情報取得手段で取得した位置情報とに基づいて、当該位置情報で特定される位置と直近の位置情報で特定された位置との間に前記地理的領域情報で特定された領域の境界部が存在するか否かの境界部存在情報を生成する境界部情報生成手段と、前記境界部情報生成手段で生成された前記境界部存在情報を前記携帯管理装置に送信する境界部情報送信手段と、を有し、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理システムにより達成される。
【手続補正３】
【補正対象書類名】明細書
【補正対象項目名】０００９
【補正方法】変更
【補正の内容】
【０００９】
このように、管理対象の前記携帯端末装置が管理対象範囲である前記地理領域情報で特定された領域内に何時入り、又は出たかの情報を前記携帯管理装置が入手できれば、常時、前記携帯端末装置と前記携帯管理装置とで通信をすることなく、前記特定された領域との関連で前記携帯端末装置を十分にモニターし管理することができる。
したがって、通信トラフィックを減少させても、常時、通信をしている場合と同様の管理が可能となる。
また、請求項１の構成によれば、前記地理的領域は、複数の頂点を有する多角形でなり、前記位置情報と前記複数の頂点とを結ぶ複数の線の間に生じる角度の和に基づいて、前記境界部存在情報を生成する。このため、前記携帯端末装置は前記携帯端末装置が前記地理的領域の内側か、外側か等を容易にモニターすることができる。
好ましくは、請求項２の発明は、請求項１の構成において、前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成する位置情報管理システムである。
請求項２の構成によれば、前記携帯端末装置は、前記角度の和に基づき、前記携帯端末装置が前記地域的領域内、前記地域的領域外、又は前記境界部に存在するか否かを容易に認識することができる。
【手続補正４】
【補正対象書類名】明細書
【補正対象項目名】００１０
【補正方法】変更
【補正の内容】
【００１０】
前記目的は請求項３の発明によれば、携帯端末装置との関連で地理的領域を特定する領域特定手段と、前記領域特定手段で特定した前記地理的領域を地理的領域情報として登録する領域情報登録手段と、前記領域情報登録手段に登録されている前記地理的領域情報を関連する前記携帯端末装置に提供する領域情報提供手段と、前記携帯端末装置の境界部情報生成手段が生成する境界部存在情報を受信する境界部情報受信手段と、を有する位置情報管理装置であって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であり、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置により達成される。
【手続補正５】
【補正対象書類名】明細書
【補正対象項目名】００１１
【補正方法】変更
【補正の内容】
【００１１】
請求項３の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置となると共に、前記携帯端末装置は前記携帯端末装置が前記地理的領域の内側か、外側か等を容易にモニターすることができる。
好ましくは、請求項４の発明は、請求項３の構成において、前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成する位置情報管理装置である。
請求項４の構成によれば、前記携帯端末装置は、前記角度の和に基づき、前記携帯端末装置が前記地域的領域内、前記地域的領域外、又は前記境界部に存在するか否かを容易に認識することができる。
【手続補正６】
【補正対象書類名】明細書
【補正対象項目名】００１２
【補正方法】変更
【補正の内容】
【００１２】
前記目的は請求項５の発明によれば、位置情報取得手段と、携帯管理装置の領域特定手段で携帯端末装置との関連で特定した地理的領域と、前記位置情報取得手段で取得した位置情報と、に基づいて、当該位置情報で特定される位置と直近の位置情報で特定された位置との間に前記地理的領域情報で特定された領域の境界部が存在するか否かの境界部存在情報を生成する境界部情報生成手段と、前記境界部情報生成手段で生成された前記境界部存在情報を前記携帯管理装置に送信する境界部情報送信手段と、を有し、前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置により達成される。
【手続補正７】
【補正対象書類名】明細書
【補正対象項目名】００１３
【補正方法】変更
【補正の内容】
【００１３】
請求項５の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置となると共に、前記携帯端末装置は前記携帯端末装置が前記地理的領域の内側か、外側か等を容易にモニターすることができる携帯端末装置ともなる。
好ましくは、請求項６の発明は、請求項５の構成において、前記角度の和が１８０°（度）未満のときは、前記位置情報が前記地理的領域内に存在するとし、前記角度の和が１８０°（度）を超えるときは、前記位置情報が前記地理的領域外に存在するとし、前記角度の和が１８０°（度）のときは、前記位置情報が前記地理的領域の前記境界部に存在するとして、前記境界部存在情報を生成する携帯端末装置である。
請求項６の構成によれば、前記携帯端末装置は、前記角度の和に基づき、前記携帯端末装置が前記地域的領域内、前記地域的領域外、又は前記境界部に存在するか否かを容易に認識することができる。
【手続補正８】
【補正対象書類名】明細書
【補正対象項目名】００１４
【補正方法】変更
【補正の内容】
【００１４】
前記目的は請求項７の発明によれば、携帯管理装置の領域特定手段が前記携帯端末装置との関連で地理的領域を特定する領域特定工程と、前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を有し、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理方法により達成される。
【手続補正９】
【補正対象書類名】明細書
【補正対象項目名】００１５
【補正方法】変更
【補正の内容】
【００１５】
請求項７の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理方法であると共に、前記携帯端末装置は前記携帯端末装置が前記地理的領域の内側か、外側か等を容易にモニターすることができる位置情報管理方法となる。
【手続補正１０】
【補正対象書類名】明細書
【補正対象項目名】００１６
【補正方法】変更
【補正の内容】
【００１６】
前記目的は請求項８の発明によれば、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を有する位置情報管理装置の制御方法であって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であり、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御方法により達成される。
【手続補正１１】
【補正対象書類名】明細書
【補正対象項目名】００１７
【補正方法】変更
【補正の内容】
【００１７】
請求項８の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御方法であると共に、前記携帯端末装置は前記携帯端末装置が前記地理的領域の内側か、外側か等を容易にモニターすることができる位置情報管理装置の制御方法ともなる。
【手続補正１２】
【補正対象書類名】明細書
【補正対象項目名】００１８
【補正方法】変更
【補正の内容】
【００１８】
前記目的は、請求項９の発明によれば、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を有し、前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御方法により達成される。
【手続補正１３】
【補正対象書類名】明細書
【補正対象項目名】００１９
【補正方法】変更
【補正の内容】
【００１９】
請求項９の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御方法であると共に、前記携帯端末装置は前記携帯端末装置が前記地理的領域の内側か、外側か等を容易にモニターすることができる携帯端末装置の制御方法ともなる。
【手続補正１４】
【補正対象書類名】明細書
【補正対象項目名】００２０
【補正方法】変更
【補正の内容】
【００２０】
前記目的は請求項１０の発明によれば、コンピュータに、携帯管理装置の領域特定手段が前記携帯端末装置との関連で地理的領域を特定する領域特定工程と、  前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を実行させるための位置情報管理プログラムであって、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理プログラムにより達成される。
【手続補正１５】
【補正対象書類名】明細書
【補正対象項目名】００２１
【補正方法】変更
【補正の内容】
【００２１】
請求項１０の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理プログラムであると共に、前記携帯端末装置は前記携帯端末装置が前記地理的領域の内側か、外側か等を容易にモニターすることができる位置情報管理プログラムともなる。
【手続補正１６】
【補正対象書類名】明細書
【補正対象項目名】００２２
【補正方法】変更
【補正の内容】
【００２２】
前記目的は請求項１１の発明によれば、コンピュータに、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を実行させるための位置情報管理装置の制御プログラムであって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムであって、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御プログラムにより達成される。
【手続補正１７】
【補正対象書類名】明細書
【補正対象項目名】００２３
【補正方法】変更
【補正の内容】
【００２３】
請求項１１の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御プログラムであると共に、前記携帯端末装置は前記携帯端末装置が前記地理的領域の内側か、外側か等を容易にモニターすることができる位置情報管理装置の制御プログラムともなる。
【手続補正１８】
【補正対象書類名】明細書
【補正対象項目名】００２４
【補正方法】変更
【補正の内容】
【００２４】
前記目的は請求項１２の発明によれば、コンピュータに、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を実行させるための携帯端末装置の制御プログラムであって、前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御プログラムにより達成される。
【手続補正１９】
【補正対象書類名】明細書
【補正対象項目名】００２５
【補正方法】変更
【補正の内容】
【００２５】
請求項１２の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御プログラムであると共に、前記携帯端末装置は前記携帯端末装置が前記地理的領域の内側か、外側か等を容易にモニターすることができる携帯端末装置の制御プログラムともなる。
【手続補正２０】
【補正対象書類名】明細書
【補正対象項目名】００２６
【補正方法】変更
【補正の内容】
【００２６】
前記目的は請求項１３の発明によれば、コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を実行させるための位置情報管理プログラムを記録したコンピュータ読み取り可能な記録媒体であって、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理プログラムを記録したコンピュータ読み取り可能な記録媒体により達成される。
【手続補正２１】
【補正対象書類名】明細書
【補正対象項目名】００２７
【補正方法】変更
【補正の内容】
【００２７】
請求項１３の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理プログラムを記録したコンピュータ読み取り可能な記録媒体であると共に、前記携帯端末装置は前記携帯端末装置が前記地理的領域の内側か、外側か等を容易にモニターすることができる位置情報管理プログラムを記録したコンピュータ読み取り可能な記録媒体ともなる。
【手続補正２２】
【補正対象書類名】明細書
【補正対象項目名】００２８
【補正方法】変更
【補正の内容】
【００２８】
前記目的は請求項１４の発明によれば、コンピュータに、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を実行させるための位置情報管理装置の制御プログラムであって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムを記録したコンピュータ読み取り可能な記録媒体であって、前記地理的領域は、複数の頂点を有する多角形でなり、前記位置情報と前記複数の頂点とを結ぶ複数の線の間に生じる角度の和に基づいて、前記境界部存在情報を生成することを特徴とする位置情報管理装置の制御プログラムを記録したコンピュータ読み取り可能な記録媒体により達成される。
【手続補正２３】
【補正対象書類名】明細書
【補正対象項目名】００２９
【補正方法】変更
【補正の内容】
【００２９】
請求項１４の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御プログラムを記録したコンピュータ読み取り可能な記録媒体であると共に、前記携帯端末装置は前記携帯端末装置が前記地理的領域の内側か、外側か等を容易にモニターすることができる位置情報管理装置の制御プログラムを記録したコンピュータ読み取り可能な記録媒体ともなる。
【手続補正２４】
【補正対象書類名】明細書
【補正対象項目名】００３０
【補正方法】変更
【補正の内容】
【００３０】
前記目的は請求項１５の発明によれば、コンピュータに、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を実行させるための携帯端末装置の制御プログラムを記録したコンピュータ読み取り可能な記録媒体であって、前記地理的領域は、複数の頂点を有する多角形でなり、前記位置情報と前記複数の頂点とを結ぶ複数の線の間に生じる角度の和に基づいて、前記境界部存在情報を生成することを特徴とする携帯端末装置の制御プログラムを記録したコンピュータ読み取り可能な記録媒体により達成される。
【手続補正２５】
【補正対象書類名】明細書
【補正対象項目名】００３１
【補正方法】変更
【補正の内容】
【００３１】
請求項１５の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御プログラムを記録したコンピュータ読み取り可能な記録媒体であると共に、前記携帯端末装置は前記携帯端末装置が前記地理的領域の内側か、外側か等を容易にモニターすることができる携帯端末装置の制御プログラムを記録したコンピュータ読み取り可能な記録媒体ともなる。